(57)【要約】【課題】第２筐体が第１筐体に対して回転可能に接合され、かつ、小型、薄型である装置を提供する。【解決手段】携帯電話機は、表示部筐体１２０が回転可能に接合される本体筐体１１０の表面側に取り付けられる板状の第１部材２を備える。第１部材２は、直線状の案内溝３を有する。案内溝３には、回転軸部材１１がスライド可能に装着される。案内溝３は、表示部筐体１２０の角部１２０ｄ又は角部１２０ｅが壁部１１１に押し当てられつつ回転する表示部筐体１２０の動作に伴って壁部１１１から遠ざかり、又は、接近する回転軸１１を案内する。第１部材２は、案内溝３の延長上に壁部１１１が位置するように本体筐体１１０に取り付けられる。回転軸部材１１には、表示部筐体１２０に取り付けられる第２部材５が取り付けられる。【選択図】図２
2010010847.tif 000002
【特許請求の範囲】
【請求項１】
表面側に突設された壁部を有する第１筐体と、
前記壁部に押し当てられる部分を有し、該部分が該壁部に押しつけられつつ回転可能となるように前記第１筐体の表面側に重ねて配置された第２筐体と、
前記第１筐体における前記第2筐体と対向する面側に取り付けられた第１部材と、
前記第1部材が取り付けられた面と対向する前記第２筐体の面に取り付けられた第２部材と、
当該第２部材を前記第１部材に対してスライド移動可能とするとともに、回転可能に支持する回転軸部材と、
前記第２筐体の該部分を前記壁部に押し当てるように付勢する付勢手段とを有し、
前記第１部材は、前記回転軸部材がスライド可能に装着され、前記部分が前記壁部に押し当てられつつ回転する前記第２筐体の動作に伴って、前記壁部から遠ざかり、又は、接近する回転軸部材の案内溝を有することを特徴とする装置。
【請求項２】
前記壁部は、前記第１筐体の上縁部に設けられたことを特徴とする請求項１記載の装置。
【請求項３】
前記壁部は、前記第１筐体の側縁部に設けられたことを特徴とする請求項１記載の装置。
【請求項４】
前記第２筐体は、裏面側周縁に、前記壁部が相対移動する溝領域を備えたことを特徴とする請求項１乃至３のいずれか一項記載の装置。
【請求項５】
前記壁部は、前記第２筐体の周縁部が潜り込む溝を備えたことを特徴とする請求項１記載の装置。
【請求項６】
前記第１筐体を本体筐体とし、前記第２筐体を表示部筐体とした請求項１乃至５のいずれか一項記載の装置と、
前記壁部内に配置されたスピーカと、
を備えたことを特徴とする携帯端末装置。
【請求項７】
第１筐体へ取り付けられる第１部材と、
前記第１部材に対向して、第２筐体へ取り付けられる第２部材と、
当該第２部材を前記第１部材に対してスライド移動可能とするとともに、回転可能に支持する回転軸部材と、
前記第２部材を、前記スライド移動の一方向に付勢する付勢手段とを有し、
前記第１部材は、前記回転軸部材をスライド可能に装着し、当該回転軸部材のスライド移動の案内をする案内溝を有することを特徴とする回転支持部品。
【発明の詳細な説明】
【技術分野】
【０００１】
本発明は、第２筐体を第１筐体に対し回転可能に接合した装置並びに携帯端末装置及び回転支持部品に関する。
【背景技術】
【０００２】
従来、種々の形態の携帯端末装置が知られている。第１筐体と第２筐体、例えば、本体筐体と表示部筐体とを有する携帯電話機が知られている。このような携帯電話機は、小型化、薄型化を意図した種々の改良が施されている。
【０００３】
ところで、昨今、通信速度の高速化、表示部の解像度向上に伴う情報表示量の増大により、テレビ放送の受信が可能な携帯電話機が登場している。このような事情を背景に、表示部筐体に配置された表示部に表示される画像、映像の表示方向を縦表示と横表示とで切り替えるニーズが増している。
【０００４】
表示部に表示される画像、映像の表示方向を縦表示と横表示とで切り替える際に、表示部筐体を本体筐体に対し回転させることも行われている。表示部筐体を本体筐体に対して回転させることができる回転支持機構も種々提案されている。例えば、閉位置対応部と開位置対応部とを設けた偏心カムと、この偏心カムの回転動作を停止させる押圧手段を備えた回転支持機構が知られている（特許文献１参照）。
【０００５】
【特許文献１】特開２００５−１０６２７８号公報
【発明の開示】
【発明が解決しようとする課題】
【０００６】
しかしながら、上記の回転支持機構では、偏心カムや押圧手段を配置する領域を確保しなければならず、携帯端末装置の小型化、薄型化の妨げとなっていた。
【０００７】
本発明は、上記問題に鑑みてなされたものであり、その目的は、第２筐体が第１筐体に対して回転可能に接合され、かつ、小型、薄型である装置を提供することにある。
【課題を解決するための手段】
【０００８】
上記課題を解決するために、本明細書開示の装置は、表面側に突設された壁部を有する第１筐体を有する。そして、前記壁部に押し当てられる部分を有し、該部分が該壁部に押しつけられつつ回転可能となるように前記第１筐体の表面側に重ねて配置された第２筐体を有している。
【０００９】
装置は、第２筐体を第１筐体に対して回転可能とするために、前記第１筐体における前記第２筐体と対向する面に取り付けられた第１部材を有する。そして、前記第１部材が取り付けられた面と対向する前記第２筐体の面に取り付けられた第２部材を有している。また、本明細書開示の装置は、当該第２部材を前記第１部材に対してスライド移動可能とするとともに、回転可能に支持する回転軸部材を有している。そして、装置は、前記第２筐体の該部分を前記壁部に押し当てるように付勢する付勢手段を有している。
【００１０】
第１部材は、前記回転軸部材がスライド可能に装着され、前記部分が前記壁部に押し当てられつつ回転する前記第２筐体の動作に伴って、前記壁部から遠ざかり、又は、接近する回転軸部材の案内溝を有する。
【００１１】
第２部材は第２筐体に取り付けられている。また、第２部材は、回転軸部材によって第１部材に対して回転可能に支持されている。さらに、回転軸部材は、第１部材が有する案内溝にスライド可能に装着されている。そして、第１部材は第１筐体に取り付けられている。このため、第２筐体は、第１筐体に対してスライド可能であるとともに、回転可能な状態で接合されている。
【００１２】
第２筐体は、付勢手段により壁部に押し当てられるように付勢されている。第２筐体を所望の回転方向に押し出すと、第２筐体は、付勢手段による付勢力を受けて該部分を壁部に沿わせつつ回転する。該部分が壁部に沿いつつ回転すると回転軸と壁部との距離は変化する。回転軸部材は案内溝に沿ってスライドすることによって壁部との距離の変化に対応している。回転が完了した後の第２筐体は、引き続き付勢手段によって壁部に向かって付勢されている。このため、閉じた状態又は開いた状態で安定する。
【発明の効果】
【００１３】
本明細書開示の装置は、第２筐体が第１筐体に対して回転可能に接合され、かつ、小型、薄型に形成される。
【発明を実施するための最良の形態】
【００１４】
以下、本発明の最良の実施形態について、添付図面を参照しつつ説明する。ただし、図面中、各部の寸法、比率等は、実際のものと完全に一致するようには図示されていない場合がある。また、図面によっては細部が省略されている場合もある。
【実施例１】
【００１５】
まず、装置及び携帯端末装置の一例である携帯電話機１００の斜視図である図１を参照しつつ、携帯電話機１００の概略構成及びその大まかな動きについて説明する。その後、携帯電話機１００の細部の構成及びその動きの詳細な説明をする。
【００１６】
携帯電話機１００は、第１筐体に相当する本体筐体１１０と、第２筐体に相当し、表示部１２１を有する表示部筐体１２０とを備えている。本体筐体１１０は、その表面側の上縁部に突設された壁部１１１を有する。表示部筐体１２０は、角部１２ｄ、１２０ｅが壁部１１１に押し当てられつつ回転可能となるように第１筐体１１０の表面側に重ねて配置されている。そして、表示部筐体１２０は、本体筐体１１０に接合されている。図１（Ａ）は、表示部筐体１２０が、本体筐体１１０に対して閉じた状態を示している。図１（Ｂ）は、表示部筐体１２０を本体筐体１１０に対して反時計回り方向に回転させて開いた状態を示している。図１（Ｃ）は、表示部筐体１２０を本体筐体１１０に対して時計回り方向に回転させて開いた状態を示している。
【００１７】
本体筐体１１０と表示部筐体１２０とは、図１（Ａ）に示すように表示部筐体１２０を閉じた状態としたときに、表示部筐体１２０の上縁辺１２０ａが壁部１１１に押し当てられた状態となる。図１（Ｂ）に示すように表示部筐体１２０が開いた状態のときは、表示部筐体１２０の右縁辺１２０ｃが壁部１１１に押し当てられた状態となる。また、図１（Ｃ）に示すように表示部筐体１２０が開いた状態のときは、表示部筐体１２０の左縁辺１２０ｂが壁部１１１に押し当てられた状態となる。
【００１８】
次に、携帯電話機１００の細部の構成及びその動きについて説明する。
≪回転支持機構部品≫
図２は、回転支持部品１の拡散分解図である。回転支持部品１は、表示部筐体１２０を、その角部１２ｄ、１２０ｅが壁部１１１に押し当てられつつ回転可能となるように、本体筐体１１０に接合するために用いられる。図３は、組み立てた状態の回転支持部品１を表面側から見た図である。また、図４は、組み立てた状態の回転支持部品１の裏面側から見た図である。さらに、図５は、回転支持部品１の図３におけるＡ−Ａ線断面図である。
【００１９】
回転支持部品１は、本体筐体１１０における表示部筐体１２０と対向する面、つまり本体筐体１１０の表面側に取り付けられる第１部材２を備えている。第１部材２は、板状の部材であり、直線状の案内溝３を有している。この案内溝３には、後述する回転軸部材１１がスライド可能に装着される。そして、案内溝３は、表示部筐体１２０の角部１２０ｄ又は角部１２０ｅが壁部１１１に押し当てられつつ回転する表示部筐体１２０の動作に伴って壁部１１１から遠ざかり、又は、接近する回転軸部材１１を案内する。
第１部材２は、周縁部に本体筐体１１０への取り付け用のネジ穴４を有している。また、後述するバネ部材１２を取り付ける爪状の取り付け片２ａが設けられている。第１部材２は、案内溝３の延長上に壁部１１１が位置するように本体筐体１１０にネジ止めされ、取り付けられる。
【００２０】
回転支持部品１は、表示部筐体１２０における第１部材２が取り付けられた面と対向する面、つまり表示部筐体１２０の裏面側に取り付けられる第２部材５を備えている。第２部材５は、板状の部材であり、軸穴６が設けられている。また、軸穴６の周囲に表示部筐体１２０への取り付け用の突起７が設けられ、その突起７にネジ穴７ａが設けられている。第２部材５は、突起７が表示部筐体１２０に設けられた図示しない取り付け穴に嵌め込まれ、さらにネジ止めされて表示部筐体１２０に取り付けられる。このような第２部材５は、第１部材２の表面側に配置される。
【００２１】
回転支持部品１は、樹脂製のスライドリング９と、このスライドリング９と組み合わされる金属製の締めつけリング１０を備えている。スライドリング９と締めつけリング１０とを組み合わせたものは、回転軸部材１１を形成する。
【００２２】
締めつけリング１０は、筒状部１０ａを備えており、この筒状部１０ａがスライドリング９の内周に嵌め込まれて回転軸部材１１が形成される。回転軸部材１１は、第１部材２の裏面側から案内溝３に挿通され、さらに、第２部材５に設けられた軸穴６に挿通される。そして、筒状部１０ａの上縁部を第２部材５の表面側まで露出させ、露出した上縁部をかしめる。これにより、回転軸部材１１と第２部材５とが一体化される。このとき、回転軸部材１１は、第１部材２に固定されることはない。これにより、回転軸部材１１は、第２部材５を第１部材２に対して回転可能に支持するとともに、案内溝３にスライド可能に装着される。この結果、案内溝３は、壁部１１１に近づくことができ、また、壁部１１１から遠ざかることができる。
なお、スライドリング９は、後述するバネ部材１２を掛止する掛止部１２ａを有している。掛止部１２ａは、第１部材２の裏面側に位置する。
【００２３】
回転支持部品１は、付勢手段の一例であるバネ部材１２を備えている。バネ部材１２は、金属線材を渦状に成形したものである。バネ部材１２は、取り付け片２ａに係合させて第１部材２３の裏面側に設置される。そして、その端部１２ａがスライドリング９に設けられた掛止部９ａに掛止される。これにより、回転軸部材１１を介して第２部材５に付勢力を付与している。その付勢の方向は、回転軸部材１１のスライド移動を案内する案内溝３が延びる方向の一方向、すなわち、回転軸部材１１が壁部１１１に近づく方向である。
【００２４】
図６は、案内溝３に沿って回転軸部材１１をスライドさせ、回転軸部材１１を壁部１１１から遠ざけた状態を示している。回転軸部材１１が壁部１１１から遠ざかる動きはバネ部材１２の付勢力に抗して行われる。回転軸部材１１が壁部１１１から遠ざかると、これに伴って第２部材５も壁部１１１から遠ざかることができる。図７は、回転軸部材１１が壁部１１１から遠ざかりつつ、反時計回りの方向に回転する状態を示している。図８は、回転軸１１が壁部１１１から遠ざかりつつ、時計回りの方向に回転する状態を示している。回転支持部品１は、このように回転軸部材１１を壁部１１１から遠ざけつつ、回転させることができる。この結果、回転軸部材１１と一体となった第２部材５が取り付けられる表示部筐体１２０は、角部１２０ｄ、１２０ｅが壁部１１１に押し当てられつつ回転可能となる。回転軸部材１１は、角部１２０ｄ、１２０ｅの壁部１１１への接触位置が所定の位置を越えると、壁部１１１に接近するようになる。
【００２５】
以上のような回転支持部品１の厚みは、ほぼ第１部材２と第２部材５とを重ね合わせた厚みとすることができ、非常に薄い。
【００２６】
≪本体筐体≫
図９（Ａ）は、正面側からみた携帯電話機１００を模式的に示した説明図である。図９（Ｂ）は、図９（Ａ）におけるＢ−Ｂ線で断面とし、拡大して示した説明図である。図９（Ａ）から明らかであるように、本体筐体１１０は、その表面側の上縁部に突設された壁部１１１を備えている。本体筐体１１０には、案内溝３の延びる方向が本体筐体１１０の長手方向と一致するように第１部材２が取り付けられる。壁部１１１には、回転軸部材１１、第２部材５を介してバネ部材１２の付勢力により、表示部筐体１２０が押し当てられる。
【００２７】
図１０は、携帯電話機１００の機能概略ブロック図である。本体筐体内１１０には、制御部１５０が配置されている。この制御部１５０には、メモリー１５１、音響部１５２、キー操作部１５３、磁気センサ１５４が接続されている。さらに、テレビ（ＴＶ）受信部１５５、送受信部１５７、カメラユニット１５９が接続されている。ＴＶ受信部１５５には、テレビ受信用のアンテナ１５６が接続されている。送受信部１５７には、無線通信用のアンテナ１５８が接続されている。制御部１５０には、さらに、周囲の照度を検知する光センサ１６０が接続されている。さらに、制御部１５０には、スピーカ１６２が接続されている。また、制御部１５０には、表示部１２１が接続されている。この表示部１２１は、表示部筐体１２０に配置されている。
【００２８】
制御部１５０に接続される上記の要素のうち、表示部１２１以外の要素は、本体筐体１１０内に収容される。また、図９（Ａ）に示すように、本体筐体１１０内に収容される要素のうち、スピーカ１６２は、壁部１１１に内蔵されている。また、無線通信用のアンテナ１５８、カメラユニット１５９、光センサ１６０も壁部１１１に内蔵されている。
【００２９】
図１に示すように、本体筐体１１０の表面側には、キー操作部１５３が配置されている。キー操作部１５３は、基本操作部１５３ａと入力操作部１５３ｂとに区分けされる。
【００３０】
基本操作部１５３ａには、電源キー、メール機能立ち上げキー、通話機能立ち上げキー、電話帳機能立ち上げキー等、各種機能を立ち上げるためのキー（ボタン）が集中して配置されている。基本操作部１５３ａは、本体筐体１１０の表面側、かつ、下縁部に形成されている。基本操作部１５３ａは、図１（Ａ）に示すように、表示部筐体１２０が閉じた状態のときにも露出しており、操作が可能である。
【００３１】
入力操作部１５３ｂには、数字及び文字入力キーが配置されている。入力操作部１５３ｂは、本体筐体１１０の表面側、かつ、基本操作部１５３ａの上側に配置されている。入力操作部１５３ｂは、図１（Ａ）に示すように、表示部筐体１２０が閉じた状態のときは、表示部筐体１２０に隠れた状態となる。そして、入力操作部１５３ｂは、図１（Ｂ）及び図１（Ｃ）に示すように、表示部筐体１２０が開いた状態となったときに現れ、操作が可能となる。
【００３２】
基本操作部１５３ａと入力操作部１５３ｂとは、ともに本体筐体１１０の上面側に配置されており、ほぼ同一の高さに配置されていることから各キーの操作性が良好である。
【００３３】
図１１（Ａ）、図１１（Ｂ）、図１１（Ｃ）は、磁気センサ１５４による表示方向検出の様子を示した説明図である。表示部筐体１２０は、回転することができる。このため、表示部筐体１２０の向きに応じて表示部１２１に表示される画像、映像の表示方向を縦表示と横表示とで切り替えることが求められる。そこで、本体筐体１１０内には制御部１５０と接続された磁気センサ１５４が装着されている。磁気センサ１５４は、本体筐体１１０の中心線上に配置されている。一方、表示部筐体１２０には、左側マグネット１６１ａ、右側マグネット１６１ｂ、が装着されている。左側マグネット１６１ａは、図１１（Ｂ）に示すように表示部筐体１２０を反時計回りの方向に回転させて開いた状態としたときに、磁気センサ１５４に対応する位置にくるように設置されている。また、右側マグネット１６１ｂは、図１１（Ｃ）に示すように表示部筐体１２０を時計回りの方向に回転させて開いた状態としたときに、磁気センサ１５４に対応する位置にくるように設置されている。
【００３４】
制御部１５０は、左側マグネット１６１ａ、右側マグネット１６１ｂの磁力を検知して表示部筐体１２０の向きを判別する。そして、この判別結果に基づいて表示部１２１に表示される画像、映像の表示方向を縦表示と横表示とで切り替える。
【００３５】
≪表示部筐体≫
表示部筐体１２０は、前記のように表示部１２１と、左側マグネット１６１ａ、右側マグネット１６１ｂを備えている。そして、第２部材５が取り付けられて本体筐体１１０に対して回転可能に接合される。このように表示部筐体１２０には、ごくわずかな要素のみが搭載されているので、非常に軽量となっている。
【００３６】
≪表示部筐体の回転動作≫
次に、以上のような携帯電話機１００における表示部筐体１２０の回転動作について図１２（Ａ）乃至図１３（Ｃ）を参照しつつ説明する。図１２（Ａ）は、表示部筐体１２０が回転する途中の様子を示した説明図である。図１２（Ｂ）は、表示部筐体１２０が閉じた状態の携帯電話機１００の右側面図である。図１３（Ａ）は、表示部筐体１２０が閉じた状態の携帯電話機１００を正面からみた説明図である。図１３（Ｂ）は、表示部筐体１２０を反時計回りの方向に回転させて開いた状態の携帯電話機１００を示した説明図である。図１３（Ｃ）は、表示部筐体１２０を時計回りの方向に回転させて開いた状態の携帯電話機１００を示した説明図である。
【００３７】
表示部筐体１２０を図１３（Ａ）に示す状態から、図１３（Ｂ）に示す状態とするときは、表示部筐体１２０を反時計回りの方向に押し出す。すると、表示部筐体１２０は、回転を開始する。そして、表示部筐体１２０の上縁辺１２０ａと右辺縁１２０ｃとによって形成される角部１２０ｄが壁部１１１に押し当てられ、壁部１１１に沿うように回転する。このとき、回転軸部材１１は、バネ部材１２の付勢力に抗して壁部１１１から遠ざかる。
【００３８】
表示部筐体１２０の回転が完了に近づくと、回転軸部材１１は、壁部１１１に接近する。そして、最終的に、図１３（Ｂ）に示すように右辺縁１２０ｃが壁部１１１に沿う形で安定状態となる。
【００３９】
この状態となると図１１（Ｂ）に示すように磁気センサ１５４が左側マグネット１６１ａの磁気を検知して表示部１２１の表示を縦表示から横表示に切り替える。この結果、表示部１２１が９０°回転したにもかかわらず、表示部１２１の正視方向の表示が維持される。
【００４０】
図１３（Ｂ）に示す状態から図１３（Ａ）に示す状態に復帰させるときは、表示部筐体１２０を時計回り方向に押し出す。これにより、図１２（Ａ）に示すように表示部筐体１２０の角部１２０ｄが壁部１１１に沿うように回転する。そして、図１３（Ａ）に示すように表示部筐体１２０が閉じた状態に復帰する。
【００４１】
一方、表示部筐体１２０を図１３（Ａ）に示す状態から、図１３（Ｃ）に示す状態とするときは、表示部筐体１２０を時計回りの方向に押し出す。すると、表示部筐体１２０は、回転を開始する。そして、表示部筐体１２０の上縁辺１２０ａと左辺縁１２０ｂとによって形成される角部１２０ｅが壁部１１１に押し当てられ、壁部１１１に沿うように回転する。このとき、回転軸部材１１は、バネ部材１２の付勢力に抗して壁部１１１から遠ざかる。
【００４２】
回転が完了に近づくと、回転軸部材１１は、壁部１１１に接近する。そして、最終的に、図１３（Ｃ）に示すように左辺縁１２０ｂが壁部１１１に沿う形で安定状態となる。
【００４３】
この状態となると図１１（Ｃ）に示すように磁気センサ１５４が右側マグネット１６１ｂの磁気を検知して表示部１２１の表示を縦表示から横表示に切り替える。この結果、表示部１２１が９０°回転したにもかかわらず、表示部１２１の正視方向の表示が維持される。
【００４４】
図１３（Ｃ）に示す状態から図１３（Ａ）に示す状態に復帰させるときは、表示部筐体１２０を反時計回り方向に押し出す。これにより、図１２（Ａ）に示すように表示部筐体１２０の角部１２０ｅが壁部１１１に沿うように回転する。そして、図１３（Ａ）に示すように表示部筐体１２０が閉じた状態に復帰する。
【００４５】
以上説明したように、携帯電話機１００は、回転支持部品１を用いて表示部筐体１２０を本体筐体１１０に対して回転可能に接合している。この回転支持部品１の厚みは、ほぼ第１部材２と第２部材５とを重ね合わせた厚みである。この結果、携帯電話機１００は、非常に薄く形成されている。また、回転支持部品１は、部品点数が少なく、携帯電話機１００を小型化することができる。
【００４６】
また、携帯電話機１００は、所望の回転方向に表示部筐体１２０を押し出す簡単な操作により表示部筐体１２０が回転し、その閉じた状態と開いた状態との切り替えを実現している。前記のように表示部筐体１２０には、表示部１２１、左側マグネット１６１ａ、右側マグネット１６１ｂといったごくわずかな要素のみが搭載されている。このため、表示部筐体１２０は、非常に軽量であり、回転動作をさせやすい。また、表示部筐体１２０は、回転動作中もバネ部材１２によって壁部１１１に押しつけられているので、所定位置を越えると、安定した状態に復帰しようとする。このため、非常にわずかな力で表示部筐体１２０の開閉動作を行うことができる。
【００４７】
スピーカ１６２は、携帯電話機１００のできるだけ上縁付近に内蔵されていると通話し易い。本実施例の携帯電話機１００では、スピーカ１６２は、本体筐体１１０の上端縁に設けられた壁部１１１に内蔵されている。このため、スピーカ１６２の位置は、表示部筐体１２０の回転状態に左右されることなく、通話し易い位置に維持される。
【実施例２】
【００４８】
次に、実施例２の携帯電話機２００につき、図１４（Ａ）乃至図１６（Ｃ）を参照しつつ説明する。実施例２の携帯電話機２００は、本体筐体２１０を備え、表示部筐体２２０を備える点で実施例１の携帯電話機１００と共通する。また、本体筐体２１０は、その表面側の上縁部に突設された壁部２１１を備えている点でも共通する。また、実施例１と同様の回転支持部品１を用いて表示部筐体２２０が本体筐体２１０に回転可能の接合されている点も共通する。
【００４９】
携帯電話機２００と携帯電話機１００との相違点は、携帯電話機２００が、表示部筐体２２０の裏面側周縁に、壁部２１１が相対移動する溝領域２２２を備えている点である。ここで、表示部筐体２２０の裏面は、本体筐体２１０における第１部材２が取り付けられた面と対向する面である。以下、この相違点を中心に携帯電話機２００の構成、動作について説明する。なお、実施例１と共通する構成要素については、図面中、同一の参照番号を付してその詳細な説明は省略する。また、携帯電話機２００では、カメラユニット、光センサの搭載が省略されている。
【００５０】
図１４（Ａ）は、表示部筐体２２０が回転する途中の様子を示した説明図である。図１４（Ｂ）は、表示部筐体２２０が閉じた状態の携帯電話機２００の上面図である。図１４（Ｃ）は、表示部筐体２２０が閉じた状態の携帯電話機２００の右側面図である。図１４（Ｄ）は、表示部筐体２２０が閉じた状態の携帯電話機２００の左側面図である。図１５は、表示部筐体２２０の裏面図である。図１６（Ａ）は、表示部筐体２２０が閉じた状態の携帯電話機２００を正面からみた説明図である。図１６（Ｂ）は、表示部筐体２２０を反時計回りの方向に回転させて開いた状態の携帯電話機２００を示した説明図である。図１６（Ｃ）は、表示部筐体２２０を時計回りの方向に回転させて開いた状態の携帯電話機２００を示した説明図である。
【００５１】
図に示すように、携帯電話機２００は、表示部筐体２２０の裏面側周縁に、壁部２１１が相対移動する溝領域２２２を備えている。そして、表示部筐体２２０の上縁部は、壁部２１１に乗り上げた形となっている。溝領域２２２は、図１５に示すように表示部筐体２２０の裏面側周縁にＵ字状に形成されている。この溝領域２２２内に、上縁辺２２０ａ、左辺縁２２０ｂ、右辺縁２２０ｃ、そして、角部２２０ｄ、２２０ｅが形成されている。上縁辺２２０ａ、左辺縁２２０ｂ、右辺縁２２０ｃ、角部２２０ｄ、２２０ｅは、実施例１の携帯電話機１００における上縁辺１２０ａ、左辺縁１２０ｂ、右辺縁１２０ｃ、角部１２０ｄ、２０ｅに相当するものである。
【００５２】
表示部筐体２２０を図１６（Ａ）に示す状態から、図１６（Ｂ）に示す状態とするときは、表示部筐体２２０を反時計回りの方向に押し出す。すると、表示部筐体２２０は、回転を開始する。そして、表示部筐体２２０の上縁辺２２０ａと右辺縁２２０ｃとによって形成される角部２２０ｄが壁部２１１に押し当てられ、壁部２１１に沿うように回転する。壁部２１１は、溝領域２２２内で相対移動する。このとき、回転軸部材１１は、バネ部材１２の付勢力に抗して壁部２１１から遠ざかる。
【００５３】
回転が完了に近づくと、回転軸部材１１は、壁部２１１に接近する。そして、最終的に、右辺縁２２０ｃが壁部２１１に沿う形で安定状態となる。
【００５４】
図１６（Ｂ）に示す状態から図１６（Ａ）に示す状態に復帰させるときは、表示部筐体２２０を時計回り方向に押し出す。これにより、図１４（Ａ）に示すように表示部筐体２２０の角部２２０ｄが壁部２１１に沿うように回転する。そして、図１６（Ａ）に示すように表示部筐体２２０が閉じた状態に復帰する。
【００５５】
一方、表示部筐体２２０を図１６（Ａ）に示す状態から、図１６（Ｃ）に示す状態とするときは、表示部筐体２２０を時計回りの方向に押し出す。すると、表示部筐体２２０は、回転を開始する。そして、表示部筐体２２０の上縁辺２２０ａと左辺縁２２０ｂとによって形成される角部２２０ｅが壁部２１１に押し当てられ、壁部２１１に沿うように回転する。壁部２１１は、溝領域２２２内で相対移動する。このとき、回転軸部材１１は、バネ部材１２の付勢力に抗して壁部２１１から遠ざかる。
【００５６】
回転が完了に近づくと、回転軸部材１１は、壁部２１１に接近する。そして、最終的に、左辺縁２２０ｂが壁部２１１に沿う形で安定状態となる。
【００５７】
図１６（Ｃ）に示す状態から図１６（Ａ）に示す状態に復帰させるときは、表示部筐体２２０を反時計回り方向に押し出す。これにより、図１４（Ａ）に示すように表示部筐体２２０の角部２２０ｅが壁部２１１に沿うように回転する。そして、図１６（Ａ）に示すように表示部筐体２２０が閉じた状態に復帰する。
【００５８】
なお、表示部２２１の表示の縦表示と横表示との切り替えは実施例１の携帯電話機１００と同様に行われる。
【００５９】
以上説明したように、携帯電話機２００は、実施例１の携帯電話機１００と同様に、回転支持部品１を用いて表示部筐体２２０を本体筐体２１０に対して回転可能に接合している。この回転支持部品１の厚みは、ほぼ第１部材２と第２部材５とを重ね合わせた厚みである。この結果、携帯電話機２００は、非常に薄く形成されている。また、回転支持部品１は、部品点数が少なく、携帯電話機２００を小型化することができる。
【００６０】
携帯電話機２００では、上縁部を壁部２１１に乗り上げるように延長した形状となっている。このため、表示部２２１の範囲を大きくとることができる。また、この上縁部にスピーカ２６２が配置されている。
【実施例３】
【００６１】
次に、実施例３の携帯電話機３００につき、図１７（Ａ）乃至図１８（Ｃ）を参照しつつ説明する。実施例３の携帯電話機３００は、本体筐体３１０を備え、表示部筐体２２０を備える点で実施例１の携帯電話機１００と共通する。また、実施例１と同様の回転支持部品１を用いて表示部筐体２２０が本体筐体３１０に回転可能の接合されている点も共通する。
【００６２】
携帯電話機３００と携帯電話機１００との相違点は、以下の点である。すなわち、本体筐体１１０がその表面側の上縁部に突設された壁部１１１を備えているのに対し、本体筐体３１０は、その表面側の側縁部に突設された壁部３１１を備えている。これに伴って、回転支持部品１の本体筐体３１０への取り付け方向も携帯電話機１００とは異なっている。また、携帯電話機３００は、表示部筐体２２０の裏面側周縁に、壁部３１１が相対移動する溝領域２２２を備えている。以下、この相違点を中心に携帯電話機３００の構成、動作について説明する。なお、実施例１と共通する構成要素については、図面中、同一の参照番号を付してその詳細な説明は省略する。また、表示部筐体２２０は、実施例２の携帯電話機２００が備えるものと共通であるのでその詳細な説明は省略する。また、携帯電話機３００では、カメラユニット、光センサの搭載が省略されている。スピーカ３６２は、表示部筐体２２０の上縁に配置されている。
【００６３】
図１７（Ａ）は、表示部筐体２２０が回転する途中の様子を示した説明図である。図１７（Ｂ）は、表示部筐体２２０が閉じた状態の携帯電話機３００の上面図である。図１７（Ｃ）は、表示部筐体２２０が閉じた状態の携帯電話機３００の右側面図である。図１７（Ｄ）は、表示部筐体２２０が閉じた状態の携帯電話機３００の左側面図である。図１８（Ａ）は、表示部筐体２２０が閉じた状態の携帯電話機３００を正面からみた説明図である。図１８（Ｂ）は、表示部筐体２２０を反時計回りの方向に９０°回転させて開いた状態の携帯電話機３００を示した説明図である。図１８（Ｃ）は、表示部筐体２２０を反時計回りの方向に１８０°回転させて開いた状態の携帯電話機３００を示した説明図である。
【００６４】
図に示すように、本体筐体３１０は、左側縁部に壁部３１１を備えている。そして、回転支持部品１は、バネ部材１２による付勢方向が壁部３１１に向かう方向となるように配置され、本体筐体３１０と表示部筐体２２０とを接合している。表示部筐体２２０は、角部２２０ｄ、２２０ｅが壁部３１１に押し当てられるようにして回転する。
【００６５】
表示部筐体２２０を図１８（Ａ）に示す状態から、図１８（Ｂ）に示す状態とするときは、表示部筐体２２０を反時計回りの方向に押し出す。すると、表示部筐体２２０は、回転を開始する。そして、表示部筐体２２０の上縁辺２２０ａと左辺縁２２０ｂとによって形成される角部２２０ｅが壁部３１１に押し当てられ、壁部３１１に沿うように回転する。壁部３１１は、溝領域２２２内で相対移動する。このとき、回転軸部材１１は、バネ部材１２の付勢力に抗して壁部３１１から遠ざかる。
【００６６】
回転が完了に近づくと、回転軸部材１１は、壁部３１１に接近する。そして、最終的に、上辺縁２２０ａが壁部３１１に沿う形で安定状態となる。すなわち、表示部筐体２２０が９０°開いた状態となる。
【００６７】
図１８（Ｂ）に示す状態から図１８（Ａ）に示す状態に復帰させるときは、表示部筐体２２０を時計回り方向に押し出す。これにより、図１７（Ａ）に示すように表示部筐体２２０の角部２２０ｅが壁部２１１に沿うように回転する。そして、図１８（Ａ）に示すように表示部筐体２２０が閉じた状態に復帰する。
【００６８】
さらに、表示部筐体２２０を図１８（Ｂ）に示す状態から、図１８（Ｃ）に示す状態とするときは、表示部筐体２２０を時計回りの方向に押し出す。すると、表示部筐体２２０は、回転を開始する。そして、表示部筐体２２０の上縁辺２２０ａと右辺縁２２０ｃとによって形成される角部２２０ｄが壁部３１１に押し当てられ、壁部３１１に沿うように回転する。壁部３１１は、溝領域２２２内で相対移動する。このとき、回転軸部材１１は、バネ部材１２の付勢力に抗して壁部３１１から遠ざかる。
【００６９】
回転が完了に近づくと、回転軸部材１１は、壁部２１１に接近する。そして、最終的に、右辺縁２２０ｃが壁部３１１に沿う形で安定状態となる。すなわち、表示部筐体２２０が１８０°開いた状態となる。
【００７０】
図１８（Ｃ）に示す状態から図１８（Ｂ）に示す状態に復帰させるときは、表示部筐体２２０を反時計回り方向に押し出す。これにより、図１７（Ａ）に示すように表示部筐体２２０の角部２２０ｄが壁部３１１に沿うように回転する。そして、図１８（Ｂ）に示すように表示部筐体２２０が９０°開いた状態に復帰する。
【００７１】
なお、表示部２２１の表示の縦表示と横表示との切り替えは磁気センサとマグネットの配置を変更することによって実現することができる。
【００７２】
以上説明したように、携帯電話機３００は、実施例１の携帯電話機１００と同様に、回転支持部品１を用いて表示部筐体１２０を本体筐体１１０に対して回転可能に接合している。この回転支持部品１の厚みは、ほぼ第１部材２と第２部材５とを重ね合わせた厚みである。この結果、携帯電話機３００は、非常に薄く形成されている。また、回転支持部品１は、部品点数が少なく、携帯電話機３００を小型化することができる。
【００７３】
また、壁部３１１を本体筐体の側縁部に設け、この壁部３１１に表示部筐体２２０が押し当てられるようにしたので、表示部筐体２２０を閉じた状態から、９０°開いた状態、さらに９０°開き、１８０°まで開いた状態とすることができる。
【００７４】
以上本発明の好ましい実施例について詳述したが、本発明は係る特定の実施例に限定されるものではなく、特許請求の範囲に記載された本発明の要旨の範囲内において、種々の変形、変更が可能である。
【００７５】
例えば、図１９に示すように壁部１１１は、表示部筐体１２０の周縁部１２０ａが潜り込む溝１１１ａを備えることができる。このように表示部筐体１２０の周縁部１２０ａを壁部１１１に潜り込ませるようにすれば、表示部筐体１２０の浮き上がりを抑制することができる。このとき、表示部筐体１２０の周縁部１２０ａの断面形状、溝１１１ａの断面形状をテーパ状に成形することができる。
また、上記実施例では、携帯電話機の例について説明したが、第１筐体と第２筐体の二つの筐体を有する他の携帯端末装置に本明細書開示の装置を適用することができる。
【図面の簡単な説明】
【００７６】
【図１】図１（Ａ）〜図１（Ｃ）は、実施例１の携帯電話機の表示部筐体が開閉する様子を示す斜視説明図である。
【図２】図２は、図１に示した携帯電話機が備える回転支持部品の拡散分解図である。
【図３】図３は、組み立てた状態の回転支持部品を表面側から見た図である。
【図４】図４は、組み立てた状態の回転支持部品の裏面側から見た図である。
【図５】図５は、回転支持部品の図３におけるＡ−Ａ線断面図である。
【図６】図６は、案内溝に沿って回転軸部材をスライドさせた状態を示す説明図である。
【図７】図７は、第２部材が反時計回りの方向に回転する状態を示す説明図である。
【図８】図８は、第２部材が時計回りの方向に回転する状態を示す説明図である。
【図９】図９（Ａ）は、正面側からみた携帯電話機を模式的に示した説明図である。図９（Ｂ）は、図９（Ａ）における携帯電話機をＢ−Ｂ線で断面とし、拡大して示した説明図である。
【図１０】図１０は、携帯電話機の機能概略ブロック図である。
【図１１】図１１（Ａ）〜（Ｃ）は、磁気センサによる表示方向検出の様子を示す説明図である。
【図１２】図１２（Ａ）は、表示部筐体が回転する途中の様子を示した説明図である。図１２（Ｂ）は、表示部筐体が閉じた状態の携帯電話機の右側面図である。
【図１３】図１３（Ａ）〜図１３（Ｃ）は、実施例１の携帯電話機の表示部筐体が開閉する様子を示す説明図である。
【図１４】図１４（Ａ）〜（Ｄ）は、実施例２の携帯電話機の四面図である。
【図１５】図１５は、実施例２の表示部筐体の裏面図である。
【図１６】図１６（Ａ）〜図１６（Ｃ）は、実施例２の携帯電話機の表示部筐体が開閉する様子を示す説明図である。
【図１７】図１７（Ａ）〜（Ｄ）は、実施例３の携帯電話機の四面図である。
【図１８】図１８（Ａ）〜図１８（Ｃ）は、実施例３の携帯電話機の表示部筐体が開閉する様子を示す説明図である。
【図１９】図１９は、表示部筐体の周縁部が壁部に設けた溝に潜り込む様子を示す概念図である。
【符号の説明】
【００７７】
１…回転支持部品                        ２…第１部材
３…案内溝                              ５…第２部材
１１…回転軸部材                        １２…バネ部材
１００，２００，３００…携帯電話機
１１０，２１０，３１０…本体筐体
１１１，２１１，３１１…壁部
１２０，２２０…表示部筐体
１２０ｄ，１２０ｅ，２２０ｄ，２２０ｅ…角部
【図１】
2010010847.tif 000003
【図２】
2010010847.tif 000004
【図３】
2010010847.tif 000005
【図４】
2010010847.tif 000006
【図５】
2010010847.tif 000007
【図６】
2010010847.tif 000008
【図７】
2010010847.tif 000009
【図８】
2010010847.tif 000010
【図９】
2010010847.tif 000011
【図１０】
2010010847.tif 000012
【図１１】
2010010847.tif 000013
【図１２】
2010010847.tif 000014
【図１３】
2010010847.tif 000015
【図１４】
2010010847.tif 000016
【図１５】
2010010847.tif 000017
【図１６】
2010010847.tif 000018
【図１７】
2010010847.tif 000019
【図１８】
2010010847.tif 000020
【図１９】
2010010847.tif 000021